(57)【要約】【課題】  通気孔が設けられた筐体を備える電子装置において、低コスト且つ簡易な構成で該通気孔を保護すると共に該電子装置の放熱効率を高める。【解決手段】  筐体（１０１）と、前記筐体の内部空間に収容された回路基板（１０３）と、を備える電子装置（１０）であって、前記筐体は、該筐体の側面の第１領域（１１０、１１４）から第２領域（１１２）へと通じる間隙（１０７ａ、１０７ｂ）を外部空間（１２２）側に備え、前記間隙を構成する面（１１１ａ、１１３ａ）の一部に、前記内部空間と該外部空間とを連通させる貫通孔（１０８ａ、１０８ｂ）の開口が設けられている【選択図】図１
2018113319.tif 000002
【特許請求の範囲】
【請求項１】
筐体と、前記筐体の内部空間に収容された回路基板と、を備える電子装置であって、
前記筐体は、該筐体の側面の第１領域から該側面の第２領域へと通じる間隙を外部空間側に備え、
前記間隙を構成する面の一部に、前記内部空間と該外部空間とを連通させる貫通孔の開口が設けられている、
電子装置。
【請求項２】
請求項１に記載された電子装置において、
前記筐体は、矩形箱状であり、
前記間隙は、該筐体の第１側面から該第１側面に隣接する第２側面へと通じる間隙である、
電子装置。
【請求項３】
請求項２に記載された電子装置において、
前記筐体は、前記第１側面及び第２側面の少なくとも一方と直交する方向に張り出して前記間隙を覆うように設けられた庇部を備える、
電子装置。
【請求項４】
請求項３に記載された電子装置において、
前記庇部は、前記間隙を介して前記開口と相対向する、
電子装置。
【請求項５】
請求項３に記載された電子装置において、
前記庇部は、前記開口が形成された面と直交する、
電子装置。
【請求項６】
請求項２ないし５のいずれか一項に記載された電子装置において、
前記筐体は、前記第１側面と相対向する第３側面から該第３側面に隣接する前記第２側面へと通じる他の間隙を更に備え、
前記他の間隙を構成する複数の面の少なくとも１つの面に、前記内部空間と前記外部空間とを連通させる他の貫通孔の開口が設けられている、
電子装置。
【請求項７】
請求項１ないし６のいずれか一項に記載の記載された電子装置において、
前記開口を塞ぐように設けられた通気フィルタを備える、
電子装置。
【発明の詳細な説明】
【技術分野】
【０００１】
本発明は、電子装置に関し、特に、通気孔を有する筐体を備えた電子装置に関する。
【背景技術】
【０００２】
一般に、車両に搭載された電子制御装置（ＥＣＵ：Electronic Control Unit）は、車載装置を制御するための制御回路が実装された回路基板と、該回路基板を内部に収容する筐体とにより構成されている。
【０００３】
また、ＥＣＵの筐体には、該筐体の内部空間と外部空間とを連通させる通気孔が設けられる場合があり、これにより、筐体内外の圧力差による筐体の変形が防止される。このような通気孔は、筐体の内部空間への水や塵埃などの異物の侵入経路となり得るため、通常、該通気孔の開口は通気性と防水性とを備えた通気フィルタにより塞がれている。
【０００４】
しかし、エンジンルームなどに配されるＥＣＵでは、例えば高圧の洗浄水などに晒される場合があり、該洗浄水の衝撃の程度によっては、筐体に装着された上記通気フィルタが変形または脱落するおそれがある。該通気孔を塞ぐ通気フィルタの取り付けに不具合が生じると、筐体の内部空間への異物の侵入を遮断することができなくなるため、該通気フィルタを保護するための様々な対策が実施されている。
【０００５】
例えば、特許文献１は、筐体の外部に設けた筒状の通気部に、一端が通気フィルタで覆われたインナーパイプを装着すると共に、該通気フィルタの上部が覆われるようにフィルタ保護キャップを設けた電子装置を開示している。このような電子装置によれば、該フィルタ保護キャップにより、該通気フィルタに飛来する高圧の洗浄水を遮断することができるため、該通気フィルタの変形や脱落を未然に防止することができる。
【０００６】
しかし、特許文献１に記載された電子装置では、通気部に装着するためのインナーパイプやフィルタ保護キャップなどの専用の部品が複数必要となり、製造コストが上昇するという問題がある。また、特許文献１の上記通気部は、筐体の表面から筒状に突出しているため、振動や過失などにより該通気部に衝撃が加わる頻度が増え、筒状部と筐体との接続部における機械的強度の劣化を招来しやすい。
【０００７】
さらに、特許文献１の該通気部は、回路基板に搭載される特定の発熱素子の近傍のみに設けられるため、該特定の発熱素子以外の他の発熱素子に対する放熱効果は限定的なものとなり、筐体全体としての放熱効率を十分に高めることはできない。
【０００８】
筐体の放熱効率を向上させるには、例えば筐体に設ける通気孔を複数として、筐体の通気性を高める手法などが考え得るが、小型化された近年のＥＣＵの筐体表面には、複数の通気孔や該通気孔を保護する複数の保護部材を設けるためのスペースが十分に確保することができないため、ＥＣＵの放熱効率を向上させることが難しくなっている。
【先行技術文献】
【特許文献】
【０００９】
【特許文献１】特開２００２−３５３６７５号公報
【発明の概要】
【発明が解決しようとする課題】
【００１０】
このような背景から、通気孔が設けられた筐体を備える電子装置において、低コスト且つ簡易な構成で該通気孔を保護すると共に該電子装置の放熱効率を高めることが望まれている。
【課題を解決するための手段】
【００１１】
本発明の一の態様は、筐体と、前記筐体の内部空間に収容された回路基板と、を備える電子装置である。前記筐体は、該筐体の側面の第１領域から第２領域へと通じる間隙を外部空間側に備え、前記間隙を構成する面の一部に、前記内部空間と該外部空間とを連通させる貫通孔の開口が設けられている。
本発明の他の態様によると、前記筐体は、矩形箱状であり、前記間隙は、該筐体の第１側面から該第１側面に隣接する第２側面へと通じる間隙である。
本発明の他の態様によると、前記筐体は、前記第１側面及び第２側面の少なくとも一方と直交する方向に張り出して前記間隙を覆うように設けられた庇部を備える。
本発明の他の態様によると、前記庇部は、前記間隙を介して前記開口と相対向する。
本発明の他の態様によると、前記庇部は、前記開口が形成された面と直交する。
本発明の他の態様によると、前記筐体は、前記第１側面と相対向する第３側面から該第３側面に隣接する前記第２側面へと通じる他の間隙を更に備え、前記他の間隙を構成する複数の面の少なくとも１つの面に、前記内部空間と前記外部空間とを連通させる他の貫通孔の開口が設けられている。
本発明の他の態様によると、前記開口を塞ぐように設けられた通気フィルタを備える。
【図面の簡単な説明】
【００１２】
【図１】本発明の第１の実施形態に係る電子装置の構成を示す図である。
【図２】本発明の第２の実施形態に係る電子装置の構成を示す図である。
【図３】本発明の第２の実施形態の変形例に係る電子装置の断面の構成を示す図である。
【発明を実施するための形態】
【００１３】
以下、図面を参照して、本発明の実施の形態を説明する。なお、本実施形態では、本発明に係る電子装置として、例えば車両に搭載されて当該車両における少なくとも一の機能制御を行う電子制御装置（ＥＣＵ：Electronic Control Unit）を示すが、これに限らず、本発明の電子装置の構成は、広く一般の電子装置に適用することができる。
【００１４】
［第１実施形態］
図１は、第１実施形態に係る電子装置１０の構成を示す図である。図１（ａ）は、電子装置１０の斜視図であり、図１（ｂ）は、図１（ａ）のＡＡ線断面図である。本発明の実施形態に係る電子装置１０は、筐体１０１と、当該筐体１０１に収容された回路基板１０３と、を有する。
【００１５】
回路基板１０３は、例えば車両に搭載され該車両のエンジン制御を行う電子装置を構成する回路基板であり、動作時に発熱を伴う半導体素子などの電気部品１０４ａ〜１０４ｄによって構成された制御回路、及びコネクタ１０２を実装し、該コネクタ１０２を介して電気的に接続された外部の制御装置（不図示）を制御する。回路基板１０３は、例えば、矩形状の平板であり、所定の誘電率を有する複数の絶縁体層が積層された多層基板（例えば多層プリント配線基板）などで構成されている。
【００１６】
筐体１０１は、カバー１０１ａとベース１０１ｂとから構成されている。カバー１０１ａ及びベース１０１ｂは、例えば金属（例えば、アルミニウム）等の熱伝導率の高い材料で各々構成することができる。ベース１０１ｂは、その底面に回路基板１０３が配されており、また、該底面の上方に矩形状の開口が設けられている。カバー１０１ａは、ベース１０１ｂの矩形状の該開口を塞ぐように該ベース１０１ｂの上方に配されている。
【００１７】
カバー１０１ａとベース１０１ｂとは、ベース１０１ｂの上記開口に沿って塗布された防水グリスなどの接着剤を介して互いに接着・固定されて、筐体１０１を構成する。そして、カバー１０１ａ及びベース１０１ｂによって構成された筐体１０１の内部空間１２０には、回路基板１０３が収容されている。なお、カバー１０１ａとベース１０１ｂとの固定は、接着剤に限らず、例えばネジ等の締結部材を使用することもできる。また、以下の説明では、カバー１０１ａとベース１０１ｂとで囲まれた領域である筐体１０１の内側部分を筐体１０１の内部空間と称し、該領域の外側を筐体１０１の外部空間と称する。
【００１８】
ここで、本実施形態に係る電子装置１０は、特に、筐体１０１を構成するカバー１０１ａの外面に、間隙１０７ａ、１０７ｂと、該間隙１０７ａ、１０７ｂを図示上方から覆う庇部１０５ａ、１０５ｂとを備えている。なお、図１（ａ）において、該庇部１０５ａ、１０５ｂによって隠れる該間隙内の部分については、破線を用いて示している。
【００１９】
庇部１０５ａ、１０５ｂは、筐体１０１の側面（側面１１０、１１２、１１４）に対して垂直方向に突出した平面視が直角三角形状の板状体であって、間隙１０７ａ、１０７ｂの図示上部に配されている。庇部１０５ａは、筐体１０１の、上部１０９の一部、第１側面１１０の一部、第２側面１１２の一部、及び、第１側面１１０と第２側面１１２とが直交するコーナーの一部を含んでいる。また、庇部１０５ｂは、筐体１０１の上部１０９の一部、第２側面１１２の一部、第３側面１１４の一部、及び、第２側面１１２と第３側面１１４とが直交するコーナーの一部を含んでいる。
【００２０】
なお、このような構成を備えるカバー１０１ａは、例えば、直方体状の金属（例えば、アルミニウムなど）において、直方体を構成する側面から間隙１０７ａ、１０７ｂに相当する直角柱状の凹部を削り出すことによって、上記間隙１０７ａ、１０７ｂと庇部１０５ａ、１０５ｂとを一度の加工で一体的に形成することができる。
【００２１】
次に、該庇部１０５ａ、１０５ｂの直下に形成された間隙１０７ａ、１０７ｂについて説明する。間隙１０７ａは、筐体１０１の第１側面１１０から、該第１側面１１０に隣接する第２側面１１２へと通じる間隙であると共に、筐体１０１の外側表面（筐体１０１の外部空間１２２に接する表面）を構成する面の一部である外面１１１ａ、１１１ｂ、１１１ｃによって構成される間隙である。また、間隙１０７ｂは、上記第１側面１１０と相対向する第３側面１１４から、該第３側面１１４に隣接する第２側面１１２へと通じる間隙であると共に、筐体１０１の外側表面を構成する面の一部である外面１１３ａ、１１３ｂ、１１３ｃによって構成される間隙である。
【００２２】
間隙１０７ａの一部を構成する外面１１１ａには、内部空間１２０へと連通する貫通孔で構成される通気孔１０８ａ、１０８ｃの２つ開口が形成されている。同じく、間隙１０７ｂの一部を構成する外面１１３ａの表面には、内部空間１２０へと連通する貫通孔で構成される通気孔１０８ｂ、１０８ｄの２つ開口が形成されている。各通気孔１０８ａ〜１０８ｄの各々の開口は、庇部１０５ａ、１０５ｂの図示下面１１１ｃ、１１３ｃと相対向する位置に形成されており、間隙１０７ａ、１０７ｂが構成する三角柱状の空間の斜面部分（外面１１１ｂ、１１３ｂ）に沿って延在する矩形状である。なお、各通気孔１０８ａ〜１０８ｄが構成する開口部の形状は、矩形状に限らず、例えば三角形状または楕円形状などの任意の形状を選択することができる。
【００２３】
このように、本実施形態に係る電子装置１０では、複数の通気孔が筐体１０１の表面に設けられているため、通気孔が単一である従来技術の筐体よりも、通気性が向上すると共に、内部空間１２０の気圧がより安定する。また、回路基板１０３上に形成された電気部品１０２ａ〜１０２ｄにより加熱された内部気体は、該複数の通気孔により、内部空間１２０内に滞留することなく外部空間１２２へと速やかに放出されると共に、外部空間１２２の外気を内部空間１２０内に即座に取り込んで、該外気によって該電気部品１０４ａ〜１０４ｄを直接的に冷却することができるため、電子装置１０の放熱効率を大幅に向上させることができる。
【００２４】
また、該通気孔１０８ａ、１０８ｂ、１０８ｃ、１０８ｄには、内部空間１２０側から該開口を塞ぐように、通気フィルタ１１９ａ、１１９ｂ、１１９ｃ、１１９ｄが、例えば接着剤等を用いて、カバー１０１ａの内面（内部空間１２０側の面）に各々取り付けられており、これにより、水や塵埃などの異物が通気孔１０８ａ〜１０８ｄを介して内部空間１２０に侵入することが防止される。ここで、各通気フィルタ１１９ａ〜１１９ｄは、筐体１０１の内面側（内部空間１２０側）から取り付けられているため、各通気フィルタと筐体１０１との接着部が内部空間１２０内に存在することとなり、例えば、風雨などに筐体１０１が長時間曝されるような場合でも、該接着部が筐体１０１により常に保護されることとなるため、各通気フィルタと筐体１０１との接着強度の低下が防止される。
【００２５】
なお、各通気フィルタ１１９ａ〜１１９ｄは、空気を通過させる通気性と、水などを通過させない防水性との両方の性質を有する防水透湿性素材で構成されている。また、各通気フィルタは、接着剤等を用いてカバー１０１ａの内面に取り付けるような形態に限らず、例えば、各通気孔に嵌め込むように装着したり、テープ等によりカバー１０１ａに取り付けたり、または、ネジ等の締結部材と平板状の金具とを用いて、各通気フィルタの縁部などを該金具とカバー１０１ａとで挟持するように固定してもよい。
【００２６】
以上のような構成により、本実施形態に係る電子装置１０では、筐体１０１の一部を構成する庇部１０５ａ、１０５ｂは、通気孔１０８ａ〜１０８ｄ及び通気フィルタ１１９ａ〜１１９ｄと相対向するように配されているため、各通気孔１０８ａ〜１０８ｄの開口が、該庇部１０５ａ、１０５ｂによって常に覆われて保護される構成となる。これにより、例えば、筐体１０１に高圧洗浄水が飛来したとしても、該庇部１０５ａ、１０５ｂによって各通気孔１０８ａ〜１０８ｄ及び通気フィルタ１１９ａ、１１９ｂへの当該洗浄水の直撃から保護されることとなり、各通気孔を通じた浸水、及びまたは、各通気フィルタの変形や筐体１０１との接着強度の低下が未然に防止されることとなる。
【００２７】
また、本実施形態に係る電子装置１０では、従来技術の筐体のように通気孔を専用の保護部材で保護する必要がないため、筐体を構成する部品の個数を大幅に削減することができる。さらに、本実施形態に係る電子装置１０では、通気孔は間隙１０７ａ、１０７ｂを構成する面に設けられるため、例えば従来技術のような小型化された電子装置の筐体であっても、筐体の表面積や空きスペースの程度などに制約されることなく、該間隙内の所定の位置に該通気孔を配置することができる。
【００２８】
また、図１のように、複数の通気孔を筐体の表面に設けるような場合であっても、各通気孔１０８ａ〜１０８ｄを庇部１０５ａ、１０５ｂのみで一括して保護することができるため、従来技術のように各通気孔を個別に保護する複数の保護部材を設ける必要がない。このように、本実施形態に係る電子装置１０では、部品点数を増加させることなく、複数の通気孔を筐体を構成する一部で一括して保護することができるため、高価な保護部材を設けて通気フィルタを保護する従来技術の電子装置に比べて、大幅なコストダウンを実現することができる。
【００２９】
さらに、通気孔１０８ａ〜１０８ｄは、筐体１０１の内部空間１２０と外部空間１２２との圧力の均衡を安定的に保持することができるため、筐体内外の圧力差によるカバー１０１ａ及びベース１０１ｂの変形が防止できるとともに、回路基板１０３上に大気圧センサなどを配置して精度の高い気圧測定を実行することができる。
【００３０】
また、本実施形態に係る電子装置１０の筐体１０１では、間隙１０７ａ、１０７ｂが筐体１０１の各側面に対して傾斜した面（１１１ｂ、１１３ｂ）を備えているため、冷却風が淀むことなく斜め方向に通過し、各間隙内に外気が滞留し難くい。この結果、筐体１０１の外面側から継続して冷却することができ、電子装置１０の放熱効率を高い状態で維持することができる。また、間隙１０７ａ、１０７ｂは、筐体１０１の角部近傍のみに設けられているため、筐体１０１の機械的強度を損なうことなく、放熱効率の高い冷却構造を実現することができる。
【００３１】
さらに、本実施形態に係る電子装置１０の筐体１０１では、間隙１０７ａ、１０７ｂによって筐体１０１に外面１１１ａ〜１１１ｃ、１１３ａ〜１１３ｃからなる新たな放熱面を備えることとなるため、放熱面積が大幅に増加し、電子装置１０の放熱性能を更に向上させることができる。また、庇部１０５ａ、１０５ｂは、カバー１０１ａの内面側から伝導する熱を放熱するための大きな放熱フィンとしても機能するため、放熱効果をさらに増大させることができる。
【００３２】
また、本実施形態に係る電子装置１０では、間隙１０７ａ、１０７ｂの幅（例えば間隙１０７ａでは、外面１１１ａと外面１１１ｃとの離間距離）が、例えば１ｍｍ〜１ｃｍ程度の狭小な幅となっているため、該電子装置１０のメンテナンス等の際に、過失により通気フィルタ１１９ａ、１１９ｂなどに指や工具が接触することが阻止され、各通気フィルタの破損や該通気フィルタと筐体１０１との密着強度の低下が未然に防止される。
【００３３】
〔第２実施形態〕
次に、本発明の第２の実施形態に係る電子装置２０について説明する。本実施形態に係る電子装置２０の筐体は、該筐体の外部空間側に形成された間隙を構成する複数の面のうち、庇部と直交する面に通気孔が設けられている。
【００３４】
図２は、本発明の第２の実施形態に係る電子装置２０の構成を示す図である。図２（ａ）は、電子装置２０の斜視図であり、図２（ｂ）は、図２（ａ）のＢＢ線断面図である。なお、図２に示す電子装置２０においては、図１に示す第１の実施形態に係る電子装置１０と同じ構成要素については、図１に示す符号と同じ符号を用いて示すものとし、上述した図１についての説明を援用する。
【００３５】
本電子装置２０の筐体２０１は、第１の実施形態に係る電子装置１０の筐体１０１に代えて用いることのできる筐体である。筐体２０１は、第１の実施形態の電子装置１０の筐体１０１と同様に、カバー２０１ａの外面に、間隙２０７ａ、２０７ｂと、該間隙２０７ａ、２０７ｂを覆う庇部２０５ａ、２０５ｂとを備えている。ここで、第２の実施形態の電子装置２０に係る筐体２０１では、特に、内部空間２２０へと連通する貫通孔で構成される通気孔２０８ａ、２０８ｂ、２０８ｃ、２０８ｄの各々の開口が、該間隙２０７ａ、２０７ｂを構成する外面のうち、庇部２０５ａ、２０５ｂの図示下面２１１ｃ、２１３ｃと直交する外面２１１ｂ、２１３ｂ（間隙１０７ａ、１０７ｂが構成する三角柱状の空間を構成する斜面部分）に設けられている。
【００３６】
また、本電子装置２０の筐体２０１は、通気孔２０８ａ、２０８ｂ、２０８ｃ、２０８ｄの内部空間２２０側において、接続空間２４０が設けられており、該接続空間２４０によって、外部空間１２２と内部空間２２０を接続する構成を備えている。なお、各通気孔の該開口は、該接続空間２４０側から通気フィルタ２１９ａ、２１９ｂによって塞がれている。
【００３７】
このような構成により、本発明の第２の実施形態に係る電子装置２０では、通気孔２０８ａ〜２０８ｄを通じた外気の流出入によって、接続空間２４０と内部空間２２０との間に対流を生じさせると共に、該接続空間２４０と熱的に接続されたカバー２０１ａの上部２０９及び該上部２０９と接続されて放熱フィンとして作用する庇部２０５ａ、２０５ｂを通じて、該接続空間２４０内の高温気体を効率よく冷却する。そして、該接続空間２４０において冷却された内部気体は、回路基板１０３付近へと対流によって戻されて、回路基板１０３を冷却するため、電子装置２０の放熱効率が一段と高められる。
【００３８】
図３は、第２の実施形態に係る電子装置２０の変形例であり、筐体２０１に代えて用いることのできる、筐体３０１の構成を示している。
【００３９】
図３は、第２の実施形態における変形例である筐体３０１の構成を示す断面図である。本変形例に係る筐体３０１は、間隙３０７ａ、３０７ｂを構成する外面に凸部３３０ａ、３３０ｂ、３３０ｃ、３３０ｄ、３３０ｅ、３３０ｆを有する点のみで、第２の実施形態における筐体２０１と異なっており、その他の構成については、第２の実施形態の該筐体２０１と同一である。本変形例に係る筐体３０１の各凸部３３０ａ〜３３０ｆは、４つの通気孔３０８ａ、３０８ｂなどの正面方向の一部を遮るように形成された凸部であって、筐体３０１の側面３１０、３１４または該間隙３０７ａ、３０７ｂを構成する三角柱状の空間の斜面（外面３１１ｂ、３１３ｂ）と平行となるように間隙３０７ａ、３０７ｂ内を延在する凸部である。
【００４０】
この構成により、本変形例に係る電子装置３０を構成する筐体３０１では、各凸部３３０ａ〜３３０ｆが、各通気孔の正面方向の一部を遮るように形成されているため、各間隙に到来した高圧水の直撃などから各通気孔を保護し、各通気孔からの浸水や、各通気孔を塞ぐ各通気フィルタの変形などが未然に防止される。
【００４１】
以上説明したように、第１、２の実施形態及びその変形例に係る電子装置１０、２０、３０は、筐体１０１、２０１、３０１と、該筐体の内部空間１２０、２２０、３２０に収容された回路基板１０３と、を備える電子装置であって、前記筐体は、該筐体の側面の第１領域１１０、２１０、３１０等から該側面の第２領域１１２、２１２、３１２等へと抜ける間隙１０７ａ、１０７ｂ、２０７ａ、２０７ｂ、３０７ａ、３０７ｂを外部空間１２２側に備え、前記間隙を構成する面１１１ａ、１１３ａ、２１１ｂ、２１３ｂ、３１１ｂ、３１３ｂの一部に、前記内部空間と該外部空間とを連通させる貫通孔１０８ａ〜１０８ｄ、２０８ａ〜２０８ｄ、３０８ａ〜３０８ｄの開口が設けられている。これにより、本発明に係る電子装置では、該間隙を構成する筐体の一部によって、該通気孔を保護することができるため、専用の保護部材を設けなくとも通気孔を保護することができ、筐体を構成する部品の点数が削減できるため、従来技術の電子装置に比べて、大幅なコストダウンを実現することができる。
【００４２】
なお、第１、２の実施形態及びその変形例に係る電子装置１０、２０、３０では、１つの筐体に、２つの間隙及び２つの庇部を左右対称に設けたが、これに限らず、例えば、左右のいずれか一方の間隙及び庇部を設けるような構成（例えば、図１において、間隙１０７ｂ及び庇部１０５ｂを設けない構成）であってもよく、このような場合でも一定の放熱効果を得ることができる。また、さらに放熱効果を高めるために、３つ以上の複数の間隙及び庇部を、筐体の側面１１０、１１２、１１４に多段に積層されるような構成としてもよい。また、通気孔は、間隙を構成する複数の面の各々に設けることができる（例えば、図２（ｂ）において、外面２１１ｂ、２１３ｂに設けられた通気孔２０８ａ、２０８ｄと共に、外面２１１ａ、２１３ａにも追加の通気孔を設けることができる）。
【００４３】
また、第１、２の実施形態及びその変形例に係る電子装置１０、２０、３０では、筐体の内部空間側から各通気孔の開口を塞ぐように各通気フィルタを設けたが、これに限らず、例えば、通気フィルタを筐体の外部空間１２２側から各通気孔の開口を塞ぐように取り付けることもできる。また、各通気フィルタは、各通気孔の開口を覆うように設ける場合に限らず、例えば、通気孔の内部を通気フィルタで埋めるように設けてもよい。このような構成とすれば、該通気フィルタを安定して固定することができ、また、内部空間への異物の侵入も効果的に抑制することができる。
【００４４】
さらに、第１、２の実施形態及びその変形例に係る電子装置１０、２０、３０において、各通気孔の開口の周囲や貫通孔内の側面を撥水加工（例えば、表面加工または撥水コーティングなど）することにより、該通気孔を通じた内部空間への水の侵入を大幅に低減することが可能となり、筐体の防水効果を更に高めることができる。
【００４５】
また、第１、２の実施形態及びその変形例に係る電子装置１０、２０、３０では、各通気孔の形状を、矩形状やスリット状としたが、このような形状に限らず、内部空間への外気の導入が可能な限りにおいて、任意の形状とすることができる。例えば、各通気孔の形状を、ジグザグ状等とすれば、通気孔の実効的な長さを大きくすることができるため、外気の導入がスムーズに行われて、放熱効果を更に高めることができる。また、各通気孔の形状は、各々異なるように形成することもできる。
【００４６】
また、カバー１０１ａ、１０２ａ、１０３ａの内部空間側の面のうち、電気部品１０４ａ〜１０４ｄに対向する内面に、該電気部品からの輻射熱が吸収できる塗料などを塗布することで、電気部品１０４ａ〜１０４ｄが放出する輻射熱を効果的に吸収することができ、筐体１０１の放熱効率を更に向上させることができる。
【００４７】
また、第１、２の実施形態及びその変形例に係る電子装置１０、２０、３０では、カバーとベースとを接着剤などにより接着して固定する構成としたが、このような場合に限らず、接着剤に代えて、例えば、カバーの一部をベースの開口に嵌め込んで固定することなどにより、両者を機械的に接続・固定することもできる。このような場合でも、接着剤などを併用すれば、カバーとベースを強固に接続することができる。
【００４８】
なお、本発明は、上述した実施形態に限定されることなく、本発明の趣旨を逸脱しない範囲において改変して用いることができる。
【符号の説明】
【００４９】
１０・・・電子装置、１０１・・・筐体、１０１ａ・・・カバー、１０１ｂ・・・ベース、１０２・・・コネクタ、１０３・・・回路基板、１０４ａ、１０４ｂ、１０４ｃ、１０４ｄ・・・電気部品、１０５ａ、１０５ｂ、２０５ａ、２０５ｂ、３０５ａ、３０５ｂ・・・庇部、１０７ａ、１０７ｂ、２０７ａ、２０７ｂ、３０７ａ、３０７ｂ・・・間隙、１０８ａ、１０８ｂ、１０８ｃ、１０８ｄ、２０８ａ、２０８ｂ、２０８ｃ、２０８ｄ、３０８ａ、３０８ｂ・・・通気孔、１１０、２１０・・・第１側面、１１２、２１２・・・第２側面、１１４、２１４・・・第３側面、１１１ａ、１１１ｂ、１１１ｃ、１１３ａ、１１３ｂ、１１３ｃ、２１１ａ、２１１ｂ、２１１ｃ、２１３ａ、２１３ｂ、２１３ｃ・・・外面、１１７・・・接続部、１１９ａ、１１９ｂ、２１９ａ、２１９ｂ、３１９ａ、３１９ｂ・・・通気フィルタ、１２０・・・内部空間、１２２・・・外部空間、２４０、３４０・・・接続空間。
【図１】
2018113319.tif 000003
【図２】
2018113319.tif 000004
【図３】
2018113319.tif 000005